(57)【要約】      （修正有）【課題】海底や湖底に岩礁や漁礁などがある場所で，魚釣りや漁をする際、船を一定位置の水上に停泊させる為に使用する錨が、水底の障害物から外れず、引き上げが困難となる難題を解決する「錨」を提供する。【解決手段】（イ）人為的に錨を引いた時のみ爪が折れて、錨が外れる構造とした。（ロ）本件の構造は、「液体が充満した注射器状（シリンダー）のピストン部を瞬時強力に押し込んでも、僅かのストロークしか押し込めないが、時間をかければ、微力でも長いストロークの押し込みが可能」、の原理を錨の爪を支える部分（爪支え軸）の摺動に応用した。よって、人為的な一定以上の力で一定以上継続して錨を引くと、爪支え軸が手前に抜け落ち爪が折れ、錨は架かりから外れる。（ハ）錨を陸上で運搬する際は、爪を折りたたんで、コンパクト化可能。折りたたんだ爪は、爪ホルダーで保持する。【選択図】図１
2005029134.tif 000002
【特許請求の範囲】
【請求項１】
小型船用の錨に、シリンダーとバネを内臓し、「水の性質は常温において外部の圧力による体積変動が少ない」との原理を応用し、「人為的に水底の障害物から容易に外せる錨」を考案した。当該錨の特性は、次の通りである。▲１▼波力、潮流、風力、船体の揺れ等の自然の牽引力が、錨に作用しても錨は水底の架かりから外れないが、人為的に一定の牽引力（強度と継続時間）を加えると、錨の爪が折れて容易に外れる。▲２▼爪折れ状態により、架かりから外れた錨を水面に引上げる途中、次の障害物（段差大の漁礁等）に再度錨が遭遇しても、それに架からない。▲３▼錨の運搬や保管などの場合、爪を手前に折りたたむことが出きる。▲４▼爪が折れて錨が外れる負荷限度の微調整が容易に出来る。▲５▼海底や湖底の泥砂による機能障害を防止する簡単メカニズム。▲６▼耐蝕、防錆機能の材料により構成され錆びにくい。
【請求項２】
▲１▼ゴムボート等の軽量浮遊体船で使用する錨は、内臓バネの弾性度を極力弱めた錨を作成する。（人力の牽引だけで容易に外せる）
【発明の詳細な説明】
【発明の詳細な説明】
【技術分野】
【０００１】小型船（含むゴムボード）用の錨。但し、当該錨の用途は、岩礁や漁礁等の固形障害物のある水底の場合の使用に限定する。
【背景技術】
【０００２】爪固定式の錨は、錨の手前部分と錨綱を紐で繋ぎ、その紐に一定以上の負荷がかかると、紐が切れて錨綱を錨の反対の先端部分に繋いだ状態（逆さ形）になることで、架かりから外れる工夫をしている。それをしない場合は、無理に錨を引き上げようとして、錨を破損するか、錨綱が切れて、錨を失うかの何れかになる。この場合、紐の強度が難題であり、適当な強度を経験から知るノウハウが必要であり、その都度紐を補修する手間も必要となる。以上の問題を解決するべく、本発明と同種の爪折れ方式の錨が他に特許申請されているが、それらには本発明の特徴とするシリンダー構造の設定が無い為に、何れの申請品も、船体が大波を受けた際などに錨の爪が折れてしまい、錨本来の目的を果たせない欠点がある。錨綱が長く延びている場合は、その弛みで、ある程度吸収出来るが水深が浅い場合には、急激な自然負荷が直接錨にかかり爪が折れる問題がある。さらに、旧来の爪折れ式錨の構造は複雑で水底の泥が錨の内部に流入し、機能障害を起こす確立が高いとの問題もある。
【発明が解決しようとする課題】
【０００３】▲１▼漁礁や岩礁に架けた錨が外れない難題を解決する。→船の動力で錨を引っ張るだけで容易に外ずし可能。▲２▼ゴムボートなど軽量の船は、錨を上げる際にボート本体の方が沈んでしまう難題を解決する。→弱い人力で錨の引き上げ可能。▲３▼架かりから外れた錨が、回収途中に再度次の障害物に架かる問題を解消する。→折れた爪の自動復元に時間（数秒）を要する構造。▲４▼錨のメンテナンスを容易にする。→内部構造品の簡単バラシ構造。▲５▼錨の持ち運び時のかさばる不便を解消する。→爪折りたたみ式。
【課題を解決するための手段】
【０００４】▲１▼錨の主軸内部にシリンダーを設け、それを貫通する錨の先端の爪を支える部位まで連結する。その爪支え軸はシリンダー内に充満する水を閉じ込める役目をする弁と一体化摺動する構造とする。▲２▼開爪状態では爪支え軸の先端部が錨の爪の根元部を支えて爪が固定されている。爪支え軸が摺動し易い様に、爪との接点面に回転部品を設定する。▲３▼錨に作用する自然発生（波力風力潮流など）の負荷を分析し、瞬時的強力な場合と、弱力持続的（潮流）の負荷は、シリンダー内の水の排出孔（主軸周りの隙間）を小さく設定することで、爪支え軸が大きく摺動しない様にし、人為的負荷に近い強力継続的な自然負荷（早い潮流）の場合は心棒に装填した強度の強い方のシリンダー内バネで吸収し、人為的以外の強い力で錨を引いても、錨が外れない構造としている。▲４▼錨を外そうとする際には、一定以上の力で一定以上の時間（数秒間）継続して錨綱を引くと、シリンダー内の水は除々に排出され内心棒が連動し、爪支え軸が抜けて爪が折れ、錨が外れる構造としている。▲５▼錨が架かりから外れる際は爪折れ状態となるが、内臓バネの反発力により爪支え軸を復元させ、同時に爪も起立状態に自動復元される。しかし瞬時に爪が復元すると水上へ錨を引き上げる途中で、次の障害物（漁礁等）に遭遇し再度錨が引っ架かる場合があるので、シリンダーの効用（狭い吸水孔から瞬時に多量の水が流入出来ない）を再度活用し爪の自動復元には時間（数秒）がかかる様に設計している。▲６▼錨を持ち運ぶ場合は、爪を手前に折りたたみコンパクト化出来る。折りたたむ技術は、傘やスタンドなど錨の分野以外にも日常古くから存在しているが当該錨は爪の根っこ部の形状を工夫して折りたたみ可能として、たたんだ爪を保持する爪カバーを取り付けている。
【発明を実施するための最良の形態】
【０００５】以下図面により発明の実施を説明する。図面番号及び部位の役割▲１▼は、錨の主軸で爪部と錨綱を連結する役割をする。▲２▼は、シリンダー部の上蓋の役割をするねじ込み式である。当部位を戻す方向に回せば蓋が外れ、錨の内臓部分を引き出しメンテナンスが容易。またねじ込み加減で爪折れ限度負荷度合いの加減が可能。▲３▼は、シリンダー内を貫通する主軸の周りに装填したバネ（スプリング）。錨にかかる負荷を吸収する役目と、爪支え軸の摺動及び爪折れを自動復元する役目を果たす。後段▲７▼で吸収できない負荷を吸収する。▲４▼は、シリンダーの外壁兼錨本体の主軸外側部である。中に充満する水が狭い排出口から瞬時に出られない原理により瞬時かつ強力な負荷が錨に働いても爪支え軸が抜けない役目を果たす。爪折れ後、再度爪が起立する際の緩慢復元の役割を負う。▲５▼は、シリンダーの底辺弁であリピストンの役割をはたす。硬質ゴム状の強度ある摺動パッキンの役目を果たし水の密閉排出吸入に必要。▲６▼は、爪を起立状に保つホルダーで、爪が手前に折れないように支える。▲７▼は、錨にかかる初期の弱力負荷を吸収するスプリングで、当部品は錨の負荷を吸収する補助的部品であり、当該錨の必須部品ではない。▲８▼は、錨の爪である。▲９▼は、爪を回動（折れる、たたむ）させる為に軸となるピンである。▲１０▼は、爪と接する爪支え軸の面が滑り抜ける役目を果たす滑車である。▲１１▼は、爪が折れない様に支える爪支え軸であり、一定以上の時間と力で錨の主軸が引っ張られた時、上に抜けて爪が折れる役目を果たす。以上の部品の構成により▲１▼の主軸を錨綱を通して引いた際、スプリング▲７▼でその負荷を吸収し、さらに強い負荷はシリンダー▲４▼の水とスプリング▲３▼で吸収する。なおそれを超える負荷（時間と牽引力）が働いた際、爪支え軸が抜け、爪折れ状態になることで、錨が外れる構造である。
【発明の効果】
【０００６】▲１▼水底に漁礁や岩礁のある場所（魚が多く住む場所）に、船を停泊することが可能となる。→釣果や漁獲高が増加する。▲２▼錨の破損や錨を失うことが無くなり、錨が障害物に架かって外れなくて困惑する苦労から開放される。▲３▼ゴムボートなど浮力の小さい浮遊体でも水底の状況に関係なく錨を使うことが可能となる。▲４▼固定爪式錨に比べて、折りたたみ式の為、運搬や保管が容易である。
【図面の簡単な説明】
【０００７】【図−１】本体の正面図である
【図−２】本体の上方向からの図である。
【図−３】爪をたたんだ状態の上方向からの図である。
【図−４】本体の下方向からの図である。
【符号の説明】
図−１の説明▲１▼主軸（錨本体の中軸部）▲２▼シリンダー上蓋（シリンダー形成と本体分解容易にするねじ式蓋）▲３▼スプリング（強度大）−−当申請品は２０ｋｇの負荷で爪が折れる設定▲４▼シリンダー外壁及び錨の主軸外側部▲５▼シリンダー底辺弁（シリンダー内の水の吸廃の役目と急激な負荷吸収）▲６▼爪ホルダー（爪が手前に折れない様に及びたたんだ爪を保持する２役）▲７▼スプリング（強度小）▲８▼可倒式の錨の爪（４本９０度間隔で配置）▲９▼爪が折れる際回動の軸となるピン▲１０▼滑車（爪と爪支え軸の接点が滑る様にしている）▲１１▼爪支え軸（爪が前方に折れないように支える）
【図１】
2005029134.tif 000003
【図２】
2005029134.tif 000004
【図３】
2005029134.tif 000005
【図４】
2005029134.tif 000006